(57)【要約】【課題】携帯端末装置の電池残量及び複数の通信システムの待ち受け時間の長短を考慮して、通信システムを適宜切り替えること。【解決手段】システム選択部１８は、電池残量検出部１６から入力される電池残量の値を予め設定された閾値Ｐ０と比較し、電池残量が閾値Ｐ０よりも小さい場合、待ち受け時間格納部１７に格納されたシステムＡ、Ｂの各待ち受け時間を読み出して、現在選択しているシステムよりも長い待ち受け時間の有無を判断し、この判断に応じたシステム切り替え指示をシステム切り替え部１９に出力する。システム切り替え部１９は、システム選択部１８から入力されるシステム切り替え指示に応じて、システムＡ又はシステムＢへ切り替える。【選択図】      図１
2004235863.tif 000002
【特許請求の範囲】
【請求項１】
複数の通信システムを切り替えて通信を行うことが可能な携帯端末装置において、
電池の残量を検出する電池残量検出手段と、
前記電池残量検出手段によって検出された電池残量に基づいて、複数の通信システムの待ち受け時間の長短を判断して通信システムを選択するシステム選択手段と、
前記システム選択手段によって選択された通信システムに切り替えるシステム切り替え手段と、
を具備することを特徴とする携帯端末装置。
【請求項２】
前記システム選択手段は、前記電池残量が設定値より小さい場合は、待ち受け時間の長い通信システムを選択し、前記電池残量が設定値より大きい場合は、待ち受け時間の短い通信システムを選択することを特徴とする請求項１記載の携帯端末装置。
【請求項３】
複数の通信システムを切り替えて通信を行うことが可能な携帯端末装置において、
携帯端末装置の移動速度を検出する移動速度検出手段と、
電池の残量を検出する電池残量検出手段と、
前記移動速度検出手段によって検出された移動速度及び前記電池残量検出手段によって検出された電池残量に基づいて、複数の通信システムの待ち受け時間の長短を判断して通信システムを選択するシステム選択手段と、
前記システム選択手段よって選択された通信システムに切り替えるシステム切り替え手段と、
を具備することを特徴とする携帯端末装置。
【請求項４】
前記システム選択手段は、前記移動速度が設定値より大きく、前記電池残量が設定値より大きい場合は、セル面積が広く、待ち受け時間が短い通信システムを選択し、前記移動速度が設定値より小さく、前記電池残量が設定値より大きい場合は、セル面積が狭い通信システムを選択し、前記移動速度が設定値より小さく、前記電池残量が設定値より小さい場合は、セル面積が狭く、待ち受け時間が長い通信システムを選択し、前記移動速度が設定値より大きく、前記電池残量が設定値より小さい場合は、待ち受け時間が長い通信システムを選択することを特徴とする請求項３記載の携帯端末装置。
【発明の詳細な説明】
【０００１】
【発明の属する技術分野】
本発明は、複数の通信システムを切り替えて通信を行うことが可能な携帯端末装置に関する。
【０００２】
【従来の技術】
従来、移動体通信システムとして、ＰＤＣ（Ｐｅｒｓｏｎａｌ  Ｄｉｇｉｔａｌ  Ｃｅｌｌｕｌａｒ）／Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）／ＰＨＳ（Ｐｅｒｓｏｎａｌ  Ｈａｎｄｙ−ｐｈｏｎｅ  Ｓｙｓｔｅｍ）等のシステムが運用されており、それぞれに異なった特徴をもっている。
【０００３】
例えば、ＰＨＳ方式は、セルの面積が狭い為、単位面積辺りの使用可能な端末数を多く取れるので、周波数の利用効率が高いという利点を有する。また、携帯端末装置の待ち受けの時間が長いという利点もある。しかしながら、１つのセルがカバーするエリアが狭い為、速い移動速度で通信を行うと、通信が途切れる可能性が高いという欠点がある。
【０００４】
また、例えば、Ｗ−ＣＤＭＡ方式は、セルの面積が広い為、広い範囲を高速で移動しながらの使用が可能となる。しかしながら、携帯端末装置の待ち受け時間は、ＰＨＳと比較すると格段に短くなる。
【０００５】
そこで、従来、セル面積が異なる複数の通信システムを切り替えて通信を行うシステムが提案されている（例えば、特許文献１参照。）。
【０００６】
このシステムは、携帯端末装置の移動速度を検出する移動速度検出部と、移動速度検出部により検出された移動速度情報に基づいて、マイクロセル基地局、マクロセル基地局のどちらへ位置登録すべきかを判断する位置登録手段を設けている。これにより、携帯端末装置の移動速度に応じてマイクロセル基地局とマクロセル基地局を切り替えることができる。
【０００７】
また、他の複数の通信システムを切り替えて通信を行うシステムが提案されている（例えば、特許文献２参照。）。このシステムは、受信レベルの変動履歴及びハンドオーバ回数に基づいて、携帯端末装置の移動速度を検出する。この検出した移動速度に基づいて、ＰＨＳ方式及びＰＤＣ方式を選択するというものである。
【０００８】
従来のシステムにおける携帯端末装置を図４を用いて説明する。
【０００９】
図４の携帯端末装置４０は、データの送受信を行うアンテナ部４１、マクロセルシステムの入出力データの変調・復調を行うマクロセルシステム送受信部４２と、マクロセルシステムの入出力データを制御するマクロセルシステム制御部４３と、マイクロセルシステムの入出力データの変調・復調を行うマイクロセルシステム送受信部４４と、マイクロセルシステムの入出力データを制御するマイクロセルシステム制御部４５と、携帯端末装置４０の移動速度を検出する速度検出部４８と、速度検出部４８により検出された移動速度によってマクロセルシステムとマイクロセルシステムを選択するシステム選択部４７と、システム選択部４７により選択されたマクロセルシステム又はマイクロセルシステムの切り替えを行うシステム切り替え部４６によって構成されている。
【００１０】
周期的に速度検出部４８によって携帯端末装置４０の移動速度が検出されると、システム選択部４７は検出された移動速度に基づいてマイクロセルシステム又はマクロセルシステムを選択する。
【００１１】
ここでマクロセルシステムが選択された場合、システム切り替え部４６は、この旨をマクロセルシステム制御部４３に通知する。この通知に応答してマクロセルシステム制御部４３は、マクロセルシステムのセルに情報を通知する。この通知により、携帯端末装置４０はマクロセルシステムのセルと接続可能になる。マクロセルシステムに対する通信は、マクロセルシステム送受信部４２を用いて行われる。
【００１２】
また、システム選択部４７がマイクロセルシステムを選択した場合、システム切り替え部４６は、この旨をマイクロセルシステム制御部４５に通知する。この通知に応答してマイクロセルシステム制御部４５は、マイクロセルシステムのセルに情報を通知する。この通知により、携帯端末装置４０はマイクロセルシステムのセルと接続可能になる。マイクロセルシステムに対する通信は、マイクロセルシステム送受信部４４を用いて行われる。
【００１３】
【特許文献１】
特開平９−５１５７１号公報
【特許文献２】
特開２００２−１９０７６９号公報
【００１４】
【発明が解決しようとする課題】
しかしながら、従来のシステムでは、携帯端末装置の電池残量や通信システムの待ち受け時間に関係なく、マイクロセルシステムとマクロセルシステムの切り替えを行う為、携帯端末装置の電池の残量が少ない場合も、高速で移動する場合は、マクロセルシステムに切り替え、低速で移動する場合は，マイクロセルシステムに切り替えを行っていた。この為、携帯端末装置の電力消費を増大して待ち受け時間を短くしてしまうという問題があった。
【００１５】
本発明はかかる点に鑑みてなされたものであり、携帯端末装置の電池残量及び複数の通信システムの待ち受け時間の長短を考慮して、通信システムを適宜切り替えることができる携帯端末装置を提供することを目的とする。
【００１６】
【課題を解決するための手段】
本発明の携帯端末装置は、複数の通信システムを切り替えて通信を行うことが可能な携帯端末装置において、電池の残量を検出する電池残量検出手段と、前記電池残量検出手段によって検出された電池残量に基づいて、複数の通信システムの受け時間の長短を判断して通信システムを選択するシステム選択手段と、前記システム選択手段によって選択された通信システムに切り替えるシステム切り替え手段と、を具備する構成を採る。
【００１７】
この構成によれば、携帯端末装置の電池残量及び複数の通信システムの待ち受け時間の長短を考慮して、通信システムを適宜切り替えることができる携帯端末装置を提供することができる。
【００１８】
本発明の携帯端末装置は、複数の通信システムを切り替えて通信を行うことが可能な携帯端末装置において、携帯端末装置の移動速度を検出する移動速度検出手段と、電池の残量を検出する電池残量検出手段と、前記移動速度検出手段によって検出された移動速度及び前記電池残量検出手段によって検出された電池残量に基づいて、複数の通信システムの待ち受け時間の長短を判断して通信システムを選択するシステム選択手段と、前記システム選択手段よって選択された通信システムに切り替えるシステム切り替え手段と、を具備する構成を採る。
【００１９】
この構成によれば、携帯端末装置の電池残量及び移動速度に基づいて複数の通信システムの待ち受け時間の長短を判断して通信システムを適宜切り替えることができる形態端末装置を提供することができる。
【００２０】
【発明の実施の形態】
本発明の骨子は、携帯端末装置は、電池残量を検出し、検出された電池残量に基づいて複数の通信システムの待ち受け時間の長短を判断して通信システムを適宜切り替えることである。
【００２１】
以下、本発明の実施の形態について、図面を参照して詳細に説明する。
【００２２】
（実施の形態１）
図１は、本発明の実施の形態１に係る携帯端末装置１０の構成を示すブロック図である。
【００２３】
携帯端末装置１０は、システムＡとシステムＢを併用する装置であり、アンテナ部１１、システムＡ送受信部１２、システムＡ制御部１３、システムＢ送受信部１４、システムＢ制御部１５、電池残量検出部１６、待ち受け時間格納部１７、システム選択部１８、システム切り替え部１９及び電池２０とから主に構成される。
【００２４】
アンテナ部１１は、システムＡ送受信部１２の制御によりシステムＡのデータを送受信し、システムＢ送受信部１４の制御によりシステムＢのデータを送受信する。
【００２５】
システムＡ送受信部１２は、システムＡ制御部１３から入力されるシステムＡの送信データを変調してアンテナ部１１から送信し、アンテナ部１１から受信したシステムＡの受信データを復調してシステムＡ制御部１３に出力する。
【００２６】
システムＡ制御部１３は、システム切り替え部１９から入力されるシステムＡへの切り替え指示に応じて動作し、システムＡの送信データを制御してシステムＡ送受信部１２に出力し、システムＡ送受信部１２から入力された復調後の受信データを制御する。
【００２７】
また、システムＡ制御部１３は、システムＡから受信した受信データから待ち受け時間を抽出して待ち受け時間格納部１７に格納する。
【００２８】
システムＢ送受信部１４は、システムＢ制御部１５から入力されるシステムＢの送信データを変調してアンテナ部１１から送信し、アンテナ部１１から受信したシステムＢの受信データを復調してシステムＢ制御部１５に出力する。
【００２９】
システムＢ制御部１５は、システム切り替え部１９から入力されるシステムＢへの切り替え指示に応じて動作し、システムＢの送信データを制御してシステムＢ送受信部１４に出力し、システムＢ送受信部１４から入力された復調後の受信データを制御する。
【００３０】
また、システムＢ制御部１５は、システムＢから受信した受信データから待ち受け時間を抽出して待ち受け時間格納部１７に格納する。
【００３１】
電池残量検出部１６は、電池２０の残量を一定の周期で検出し、その検出した電池残量をシステム選択部１８に出力する。
【００３２】
待ち受け時間格納部１７は、システムＡ制御部１３及びシステムＢ制御部１５により各々抽出されたシステムＡの待ち時間及びシステムＢの待ち時間を格納する。
【００３３】
システム選択部１８は、電池残量検出部１６から入力される電池残量の値を予め設定された閾値Ｐ０と比較し、電池残量が閾値Ｐ０よりも小さい場合、待ち受け時間格納部１７に格納されたシステムＡ、Ｂの各待ち受け時間を読み出して、現在選択しているシステムよりも長い待ち受け時間の有無を判断し、この判断に応じたシステム切り替え指示をシステム切り替え部１９に出力する。
【００３４】
システム切り替え部１９は、システム選択部１８から入力されるシステム切り替え指示に応じて、システムＡへの切り替え指示又はシステムＢへの切り替え指示をシステムＡ制御部１３又はシステムＢ制御部１５に出力する。
【００３５】
電池２０は、充電可能な充電池及び電源回路などにより構成され、携帯端末装置１０内の各部に駆動電圧を供給する。
【００３６】
次いで、上記構成を有する携帯端末装置１０の動作について、図１を用いて説明する。
【００３７】
携帯端末装置１０とそれぞれのシステムＡ、Ｂのセル間では、相互の接続を制御する為の情報を送受している。この情報により携帯端末装置１０が各セルと通信可能であるかを判断する。
【００３８】
携帯端末装置１０において、システムＡを選択した場合、アンテナ部１１からシステムＡのデータを受信する。アンテナ部１１から受信されたデータは、システムＡ送受信部１２で復調されてシステムＡ制御部１３に送られる。この受信データに含まれたデジタル信号は、システムＡ制御部１３により抽出される。
【００３９】
また、送信用のデジタル信号は、システムＡ制御部１３を通してシステムＡ送受信部１２に送られる。システムＡ送受信部１２では、デジタル信号が変調されて送信データとしてアンテナ部１１から送信される。
【００４０】
また、同様に携帯端末装置１０において、システムＢを選択した場合、アンテナ部１１からシステムＢのデータを受信する。アンテナ部１１から受信されたデータは、システムＢ送受信部１４で復調されてシステムＢ制御部１５に送られる。この受信データに含まれたデジタル信号は、システムＢ制御部１５により抽出される。
【００４１】
また、送信用のデジタル信号は、システムＢ制御部１５を通してシステムＢ送受信部１４に送られる。システムＢ送受信部１４では、デジタル信号が変調されて送信データとしてアンテナ部１１から送信される。
【００４２】
システムＡ、Ｂの各セルは、自分が所属するシステムの待ち受け時間の情報を持っており、その待ち受け時間情報を携帯端末装置１０に送信する。システムＡ制御部１３、システムＢ制御部１５では、それぞれのシステムＡ、Ｂの受信データから待ち受け時間が抽出されて、待ち受け時間格納部１７に登録される。
【００４３】
また、待ち受け時間格納部１７は、予めそれぞれのシステムの典型的な待ち受け時間を格納しておいても良い。
【００４４】
電池残量検出部１６では、携帯端末装置１０の電池残量が一定の周期で検出され、システム選択部１８に出力される。システム選択部１８では、携帯端末装置１０の電池残量が、予め設定された閾値Ｐ０と比較される。携帯端末装置１０の電池残量が閾値Ｐ０よりも小さい場合、システム選択部１８では、待ち受け時間格納部１７から各システムＡ、Ｂの待ち受け時間が読み込まれ、現在のシステムよりも長い待ち受け時間を持つシステムの有無が判断される。
【００４５】
システム選択部１８において、現在のシステムよりも長い待ち受け時間をシステムが無いと判断された場合は、システムの切り替えは行われない。また、現在のシステムよりも長い待ち受け時間を持つシステムが有ると判断された場合は、システムの切り替えが行われる。
【００４６】
例えば、携帯端末装置１０が現在システムＡで通信を行っていると仮定する。システム選択部１８は、電池残量検出部１６で検出された電池残量が閾値Ｐ０よりも小さいと判断した場合、システムＡとシステムＢの待ち受け時間を比較する。システムＡの待ち受け時間がシステムＢの待ち受け時間よりも長い場合は、システムの切り替えを行わず、現状のシステムＡとの通信を継続する。
【００４７】
また、システム選択部１８は、システムＡとシステムＢの待ち受け時間を比較し、システムＢの待ち受け時間がシステムＡの待ち受け時間よりも長い場合は、システムＡからシステムＢへと切り替える。
【００４８】
携帯端末装置１０が現在システムＡと通信を行っており、システム選択部１８がシステムＢを選択した場合、システム切り替え部１９が、システムＢ選択指示に応じてシステムＡからシステムＢへの切り替えを行う。システムＢ制御部１５は、システム切り替え部１９からのシステムＢへの切り替え指示に応じてシステムＢでの接続を行う為の情報を生成し、システムＢ制御部１５とアンテナ部１１を通してシステムＢのセルへ送信することにより、システムＢとの通信が可能となる。
【００４９】
なお、システムＢからシステムＡへの切り替え手順も上記システムＡからシステムＢへの切り替え手順と同様であるので、その動作説明は省略する。
【００５０】
このように本発明の実施の形態１の携帯端末装置１０によれば、電池残量に基づいて複数のシステムの待ち受け時間の長短を判断してシステムを適宜切り替えるシステム選択部１８及びシステム切り替え部１９を設けることにより、電池残量に適したシステムを選択できる。従って、電池残量が少ない場合は、待ち受け時間の長いシステムを選択することで、携帯端末装置１０の電池２０の消費を軽減して待ち受け時間を長くすることができる。
【００５１】
（実施の形態２）
次に、本発明の実施の形態２の携帯端末装置について説明する。
【００５２】
図２は、本発明の実施の形態２に係る携帯端末装置２０の構成を示すブロック図、図３は、携帯端末装置２０の動作を説明するための図である。
【００５３】
携帯端末装置２０は、マイクロセルを用いて通信を行うシステムと、マクロセルを用いて通信を行うシステムを併用する装置であり、アンテナ部２１、マクロセルシステム送受信部２２、マクロセルシステム制御部２３、マイクロセルシステム送受信部２４、マイクロセルシステム制御部２５、電池残量検出部２６、待ち受け時間格納部２７、速度検出部２８、システム選択部２９、システム切り替え部３０及び電池３１とから主に構成される。
【００５４】
アンテナ部２１は、マクロセルシステム送受信部２２の制御によりマクロセルシステムのデータを送受信し、マイクロセルシステム送受信部２４の制御によりマイクロセルシステムのデータを送受信する。
【００５５】
マクロセルシステム送受信部２２は、マクロセルシステム制御部２３から入力されるマクロセルシステムの送信データを変調してアンテナ部２１から送信し、アンテナ部２１から受信したマクロセルシステムの受信データを復調してマクロセルシステム制御部２３に出力する。
【００５６】
マクロセルシステム制御部２３は、システム切り替え部３０から入力されるマクロセルシステムへの切り替え指示に応じて動作し、マクロセルシステムの送信データを制御してマクロセルシステム送受信部２２に出力し、マクロセルシステム送受信部２２から入力された復調後の受信データを制御する。
【００５７】
また、マクロセルシステム制御部２３は、マクロセルシステムから受信した受信データから待ち受け時間を抽出して待ち受け時間格納部２７に格納する。
【００５８】
マイクロセルシステム送受信部２４は、マイクロセルシステム制御部２５から入力されるマイクロセルシステムの送信データを変調してアンテナ部２１から送信し、アンテナ部２１から受信したマイクロセルシステムの受信データを復調してマイクロセルシステム制御部２５に出力する。
【００５９】
マイクロセルシステム制御部２５は、システム切り替え部３０から入力されるマイクロセルシステムへの切り替え指示に応じて動作し、マイクロセルシステムの送信データを制御してマイクロセルシステム送受信部２４に出力し、マイクロセルシステム送受信部２４から入力された復調後の受信データを制御する。
【００６０】
また、マイクロセルシステム制御部２５は、マイクロセルシステムから受信した受信データから待ち受け時間を抽出して待ち受け時間格納部２７に格納する。
【００６１】
電池残量検出部２６は、電池３１の残量を一定の周期で検出し、その検出した電池残量をシステム選択部２９に出力する。
【００６２】
待ち受け時間格納部２７は、マクロセルシステム制御部２３及びマイクロセルシステム制御部２５により各々抽出されたマクロセルシステムの待ち時間及びマイクロセルシステムの待ち時間を格納する。
【００６３】
速度検出部２８は、携帯端末装置２０の電源投入後、一定の周期で携帯端末装置２０の移動速度を検出し、その検出した移動速度をシステム選択部２９に出力する。
【００６４】
移動速度の検出手段としては、例えば、受信信号のフェージング周期を測定し、フェージング周期情報から移動測定を推定する方法が挙げられる。セルから送信された電波の受信レベルは、携帯端末装置２０が移動している場合は、移動速度に応じた周期でフェージングが発生することが知られている。この原理を用いて携帯端末装置２０の移動速度を検出する。
【００６５】
なお、速度検出部２８は、一定時間に切り替わるセルの数から携帯端末装置２０の移動速度を求める手段、車載パルス信号を利用した移動速度を検出する手段やＧＰＳを利用して移動速度を検出する手段であっても良い。
【００６６】
システム選択部２９は、速度検出部２８で検出された携帯端末装置２０の移動速度と、電池残量検出部２６で検出された電池残量と、待ち受け時間格納部２７に格納されているそれぞれのシステムの待ち受け時間を用いて、マクロセルシステムとマイクロセルシステムを選択する。
【００６７】
システム切り替え部３０は、システム選択部２９から入力されるシステム選択指示に応じて、マクロセルシステムへの切り替え指示又はマイクロセルシステムへの切り替え指示をマクロセルシステム制御部２３又はマイクロセルシステム制御部２５に出力する。
【００６８】
電池３１は、充電可能な充電池及び電源回路などにより構成され、携帯端末装置２０内の各部に駆動電圧を供給する。
【００６９】
次いで、上記構成を有する携帯端末装置２０の動作について、図３を用いて説明する。
【００７０】
今、マクロセルシステムの待ち受け時間が、マイクロセルシステムの待ち受け時間と比較して短いと仮定する。携帯端末装置２０の移動速度が速い場合には、マクロセルシステムに切り替えることで、セルの切り替え回数が減少し、通信が切れる可能性が少なくより快適な通信ができる。
【００７１】
従って、携帯端末装置２０の移動速度が速度閾値Ｖ０よりも大きい場合は、マクロセルシステムに切り替えたい。しかし，電池残量が少ない場合は、待ち受け時間の長いシステムに変更し、消費電力を減少させることにより、携帯端末装置２０の待ち受け時間を長くしたい。そこで電池残量が閾値Ｐ０よりも小さい値が検出された場合は、待ち受け時間の長いマイクロセルシステムに切り替える。
【００７２】
図３を用いて具体的に説明する。図３の縦軸は移動速度Ｖを表し、原点から離れるにつれて速度が速くなる。また、横軸は電池残量Ｐを表し、原点から離れるにつれて電池残量が少なくなる。図３において、携帯端末装置２０の現在の状態をラインＬとする。現在の状態が図中ａ点の場合、システム選択部２９は、Ｖａ＞Ｖ０，Ｐａ＞Ｐ０の条件によりマクロセルシステムを選択し、システム切り替え部３０がマクロセルシステムに切り替える。これにより、携帯端末装置２０が高速移動中であっても回線が切れ難い快適な通信を行うことができる。また、電池残量が閾値Ｐ０よりも大きい為、待ち受け時間の短いシステムで通信を行っても電池３１がすぐに切れる心配はない。
【００７３】
また、携帯端末装置２０の現在の状態が図中ｂ点の場合、システム選択部２９は、Ｖｂ＜Ｖ０，Ｐｂ＞Ｐ０の条件によりマイクロセルシステムを選択し、システム切り替え部３０がマイクロセルシステムに切り替える。これにより、携帯端末装置２０が低速移動中の為、マイクロセルシステムを用いても、セルの切り替え回数は少ないと考えられ快適な通信が可能である。
【００７４】
また、携帯端末装置２０の現在の状態が図中ｃ点の場合、システム選択部２９は、Ｖｃ＜Ｖ０，Ｐｃ＜Ｐ０の条件によりマイクロセルシステムを選択し、システム切り替え部３０がマイクロセルシステムに切り替える。現在の状態が図中ｂ点の場合と同様に、携帯端末装置２０が低速な移動中の為、マイクロセルシステムを用いても、セルの切り替え回数は少ないと考えられ快適な通信が可能である。
【００７５】
また、携帯端末装置２０の現在の状態が図中のｄ点の場合、システム選択部２９は、Ｖｄ＞Ｖ０，Ｐｄ＜Ｐ０の条件によりマイクロセルシステムを選択し、システム切り替え部３０がマイクロセルシステムに切り替える。これにより、電池残量が少ない為、待ち受け時間の長いマイクロセルシステムに切り替えるので、携帯端末装置２０の消費電力が減少し、待ち受け時間が長くなる。
【００７６】
以上のように、携帯端末装置２０においてシステム切り替え方法を用いることにより、移動速度の速い場合は、マクロセルシステムに切り替えを行う為、セルの切り替え回数が少なく、快適な通信を行うことができる。また、電池残量が少ない場合は、待ち受け時間の長いマイクロセルシステムに切り替えることにより、携帯端末装置２０の消費電力が減少し、携帯端末装置２０の待ち受け時間を長くすることができる。
【００７７】
なお、システムの選択方法は、この例のみではなく、電池残量と移動速度を用いた他の方法でも構わない。
【００７８】
システム選択部２９がマクロセルシステムを選択した場合、システム切り替え部３０が、マクロセルシステムに切り替える。マクロセルシステム制御部２３は、マクロセルシステムとの接続を行う為の情報を生成し、マクロセルシステム送受信部２３とアンテナ部２１を通してマクロセルシステムへ送信し、携帯端末装置２０とマクロセルシステムとの通信が可能となる。
【００７９】
また、システム選択部２９が、マイクロセルシステムを選択した場合、システム切り替え部３０が、マイクロセルシステムに切り替える。マイクロセルシステム制御部２５は、マイクロセルシステムとの接続を行う為の情報を生成し、マイクロセルシステム送受信部２４とアンテナ部２１を通してマイクロセルシステムへ送信し、携帯端末装置２０とマイクロセルシステムとの通信が可能となる。
【００８０】
このような本発明の実施の形態２の携帯端末装置２０によれば、移動速度と電池残量にに基づいて複数のシステムの待ち受け時間の長短を判断してシステムを適宜切り替えるシステム選択部２９及びシステム切り替え部３０を設けることにより、移動速度・電池残量に適したシステムを選択できる。
【００８１】
従って、移動速度が速い場合は、速い速度でも通信が切れることのないマクロセルシステムを選択でき、快適な通信ができる。また、電池残量が少ない場合は、待ち受け時間を長くするマイクロセルシステムを選択することで、待ち受け時間を長くすることができる。
【００８２】
なお、本発明では２つのシステムの切り替えに関して説明したが、複数のシステムの切り替え方法も同様である。
【００８３】
【発明の効果】
以上説明したように、本発明によれば、携帯端末装置の電池残量及び複数の通信システムの待ち受け時間の長短を考慮して、通信システムを適宜切り替えることができる携帯端末装置を提供することができる。
【００８４】
また、携帯端末装置の移動速度と電池残量に基づいて複数の通信システムの待ち受け時間の長短を考慮して通信システムを適宜切り替えることができる携帯端末装置を提供することができる。
【図面の簡単な説明】
【図１】本発明の実施の形態１に係る携帯端末装置の構成を示すブロック図
【図２】本発明の実施の形態２に係る携帯端末装置の構成を示すブロック図
【図３】実施の形態２に係る携帯端末装置の動作を説明するための図
【図４】従来のシステムの構成を示すブロック図
【符号の説明】
１０，２０  携帯端末装置
１１，２１  アンテナ部
１２  システムＡ送受信部
１３  システムＡ制御部
１４  システムＢ送受信部
１５  システムＢ制御部
１６，２６  電池残量検出部
１７，２７  待ち受け時間格納部
１８，２９  システム選択部
１９，３０  システム切り替え部
２８  速度検出部
２０，３１  電池
【図１】
2004235863.tif 000003
【図２】
2004235863.tif 000004
【図３】
2004235863.tif 000005
【図４】
2004235863.tif 000006